(57)【特許請求の範囲】
【請求項１】
固定の外筒と、この外筒の内筒部に回動可能に嵌装された内筒とを有するシリンダ錠と、内筒の内端に近接して配設され、内筒の回動に連動して水平方向に移動するデッドボルトとを有するものにおいて、内筒を鍵孔と平行に貫通し、内方に付勢された表示杆を設け、この表示杆の内端を上記デッドボルトの外面に形成され、内筒軸線方向に段差を有する作動カムに弾接させたことを特徴とするシリンダ錠における施解錠インジケータ。
【発明の詳細な説明】
【０００１】
【発明の属する技術分野】
この発明は、キャビネットの引き出し、ロッカーの扉又は出入り口のドア等に設けられるシリンダ錠の施解錠の状態を一見して分るようにしたシリンダ錠における施解錠インジケータに関する。
【０００２】
【従来の技術】
従来のこの種の施解錠インジケータとして、例えば特開平９−２５７５１号公報又は実開昭５４−７０７９６号公報に記載されたものを挙げることができる。
【０００３】
これらの施解錠インジケータは、シリンダ錠の内筒外端面を２色の相異なる色で塗り分け、施錠及び解錠操作時の内筒の回転運動を利用して、表示窓に表示させる色を施錠及び解錠に応じて異なるものとして、この色の相違により施錠状態或いは解錠状態を表示するものである。
【０００４】
【発明が解決しようとする課題】
しかして、上記した構成の施解錠インジケータは、施解錠状態を確認する為通常は視線を下げて狭い表示窓の中を覗かなければならず、施解錠の確認が容易ではない、という恨みが残る。
【０００５】
そこで、この発明は、一見して施解錠の確認ができる新規な施解錠インジケータを提供することを目的としている。
【０００６】
【課題を解決するための手段】
上記の目的を達成するため、この発明は、固定の外筒と、この外筒の内筒部に回動可能に嵌装された内筒とを有するシリンダ錠と、内筒の内端に近接して配設され、内筒の回動に連動して水平方向に移動するデッドボルトとを有するものにおいて、内筒を鍵孔と平行に貫通し、内方に付勢された表示杆を設け、この表示杆の内端を上記デッドボルトの外面に形成され、内筒軸線方向に段差を有する作動カムに弾接させたことを特徴とする。
【０００７】
【発明の実施の形態】
以下、図面に示す実施例に基づいてこの発明について説明する。
なお、この実施例は本発明をキャビネットの引き出し用のシリンダ錠に適用した場合を示す。
【０００８】
図１において符号１はキャビネットの引き出しの前板を示し、この前板１にシリンダ錠の外筒２が装着されている。なお、この発明が適用されるシリンダ錠としてディスクシリンダ錠又はピンシリンダ錠が好適で、図示の実施例におけるシリンダ錠はディスクシリンダ錠であるものとする。
【０００９】
外筒２の内側には、図３に示すように、内筒３が回動可能に嵌合している。なお、このシリンダ錠は、内筒３の最奥のスロット４に挿入されるディスクタンブラーにより外筒２に係止されるタイプのもので、合鍵の先端にこの最奥のタンブラーと係合してこれをシアーラインに揃える鍵溝を形成した特殊な工具により内筒毎交換可能である。
【００１０】
しかしながら、かかるシリンダ錠の構成は例えば実開平６−５８０７４号公報に記載されていて公知であるし、また、この発明の要旨ではないので更に詳細な説明は省略する。
【００１１】
上記外筒２の内端部には、図１乃至図５に示すように、これを水平に貫通すると共に水平方向に移動可能に案内された細長い段着きのデッドボルト５が装着されている。
【００１２】
このデッドボルト５は、次に述べる連係機構を介して内筒３に連結されており、施錠時図１及び図２に実線で示すように右方に移動して図示しない掛け金機構と係合し、引き出しを錠止する。
【００１３】
一方、内筒３の内端面には、図３及び図４に示すように、直方体状の連結ブロック６が一体に突設されており、この連結ブロック６に矩形の中心孔７（図６参照）を有する円形の駆動盤８が嵌装されている。
【００１４】
この駆動盤８の内面には、偏芯ピン９が一体に突設されており、この偏芯ピン９はデッドボルト５に形成されたＵ字形の切欠１１に摺動可能に係合している。
【００１５】
上記した構成により、図示しない合鍵によってシリンダ錠を解錠し、内筒３を図２で時計方向に回せば、これと一体の駆動盤８は図４で矢印Ａ方向、すなわち反時計方向に回動し、図５に示すように、デッドボルト５を右方（図１及び２で左方）に移動させて引き出しの錠止を解く。
【００１６】
この発明による施解錠インジケータは、上記した公知のシリンダ錠及びデッドボルトの連係機構に加え、次に述べる特徴的な構成を備えている。
【００１７】
すなわち、図３に示すように、内筒３にスロット４、４と干渉せずかつ内筒３を鍵孔と平行に貫通する細長い段付の案内孔を穿設し、図面を明瞭にする為付番しないこの案内孔に、内端部に鍔部を形成した細長い表示杆１２をその長さ方向に移動可能に嵌装する。
【００１８】
また、表示杆１２の鍔部と案内孔の段部との間に弾装された圧縮コイルばね１３の弾力により表示杆１２を内方に付勢する。
【００１９】
更にまた、図３に示すように、表示杆１２の内端部を駆動盤８に形成した挿通孔１４（図６参照）を遊嵌させて、その内端をデッドボルト５の外面（図３で上面）に弾接させる。
【００２０】
なお、上記表示杆１２の長さは、図３に示すように、内端がデッドボルト５の外面に当接しているとき、その外端が内筒３の端面より適宜突出するように設定する。また、表示杆１２の鍔部の外径は挿通孔１４の内径より小さく設定する。
【００２１】
一方、図３乃至図５に示すように、デッドボルト５の外面の、解錠時表示杆１２の内端と当接する部位に、擂鉢状の作動カム１５を形成する。
【００２２】
上記のように構成されたこの発明による施解錠インジケータは、施錠時には図３に示すように表示杆１２の外端が内筒端面から突出するが、解錠時には、図５及び図７に示すように、表示杆１２と作動カム１５とが整合し、前者が後者に落込むので、表示杆１２の外端部が内筒内に引込み、或いは表示杆１２の外端面が内筒３の端面と同一面となり、或いは表示杆１２の外端部の突出量が減少する。
【００２３】
或いは、この機構は上記とは逆に、すなわち施錠時表示杆が引込み、解錠時表示杆１２が突出するように構成することができる。
【００２４】
この表示杆１２の突出量の変化は覗き込まなくても視認できるから、この施解錠インジケータによる施解錠の確認は容易である。
【００２５】
なお、表示杆１２の内筒端面から突出する外端部外周面に、地色とは異なる色彩を施せば、表示杆の突出量の変化の視認がより容易になる。
【００２６】
【発明の効果】
以上の説明から明らかなように、この発明は、内筒を鍵孔と平行に貫通し、内方に付勢された表示杆を設け、この表示杆の内端を内筒軸線方向に段差を有する作動カムに弾接させたから、簡単な構成の付加により施解錠の確認を容易にし、インジケータの性能を向上させ得る、という優れた効果を奏する。
【図面の簡単な説明】
【図１】この発明の一実施例による施解錠インジケータを備えたシリンダ錠の平面図で、施錠状態を示す。
【図２】その正面図。
【図３】施錠状態におけるシリンダ錠の拡大縦断面図。
【図４】図３のＩＶ−ＩＶ線による一部断面背面図。
【図５】図４と同様のシリンダ錠の背面図で、解錠時を示す。
【図６】駆動盤の正面図。
【図７】図５のＶＩＩ−ＶＩＩ線によるデッドボルトの縦断面図。
【符号の説明】
２  外筒
３  内筒
５  デッドボルト
８  駆動盤
９  偏芯ピン
１１  切欠
１２  表示杆
１３  コイルばね
１５挿通孔
【図１】
0003993916.tif 000002
【図２】
0003993916.tif 000003
【図３】
0003993916.tif 000004
【図４】
0003993916.tif 000005
【図５】
0003993916.tif 000006
【図６】
0003993916.tif 000007
【図７】
0003993916.tif 000008